Podtech/llm-jp-corpus-v4-ja_patent huggingface dataset:
【手続補正書】
【提出日】平成24年10月18日(2012.10.18)
【手続補正１】
【補正対象書類名】特許請求の範囲
【補正対象項目名】全文
【補正方法】変更
【補正の内容】
【特許請求の範囲】
【請求項１】
複数色のインクを付与する記録ヘッドを用いて記録媒体に画像を記録するためのデータを生成する画像処理方法であって、
前記記録媒体に対して記録すべき画像データに基づいて、前記記録媒体上の領域が所定方向に複数に分割された各領域に対して、カラー画像を記録するカラー領域であるか、又は、モノクロ画像を記録するモノクロ領域であるかを判定する判定工程と、
前記判定工程において、前記カラー領域であると判定された領域と、前記モノクロ領域であると判定された領域であって前記カラー領域であると判定された領域と前記所定方向に隣接する領域と、に対して、複数色のインクのうち少なくとも１色からなる第１の組み合わせのインクを付与するためのデータを生成し、
前記判定工程において、前記モノクロ領域であると判定された領域であって且つ前記カラー領域であると判定された領域と前記所定方向に隣接しない領域のうちの少なくともいずれかの領域に対して、前記複数色のインクのうち前記第１の組み合わせとは異なり、少なくとも１色からなる第２の組み合わせのインクを付与するためのデータを生成する、生成工程と
を有することを特徴とする画像処理方法。
【請求項２】
前記少なくともいずれかの領域は、前記カラー領域と前記モノクロ領域とのいずれでもない白領域である第１白領域と第２白領域との間に位置し、
前記第１白領域と前記第２白領域との間に前記カラー領域が存在しない、ことを特徴とする請求項１に記載の画像処理方法。
【請求項３】
前記生成工程は、前記カラー領域と前記モノクロ領域とのいずれでもない白領域である第３白領域と第４白領域との間の領域であって、当該間に前記カラー領域であると判定された領域と前記モノクロ領域であると判定された領域とを含む当該領域に対して、前記第１の組み合わせのインクを付与するためのデータを生成する、ことを特徴とする請求項１又は２に記載の画像処理方法。
【請求項４】
前記複数色のインクは、有彩色インクと無彩色インクを含み、
前記第１の組み合わせは、有彩色インクの組み合わせであり、
前記第２の組み合わせは、無彩色インクの組み合わせである、
ことを特徴とする請求項１乃至３のいずれか１項に記載の画像処理方法。
【請求項５】
前記記録ヘッドは、前記有彩色のインクを吐出するノズルが前記所定方向に沿って配列された第１ノズル列と、前記無彩色のインクを吐出するノズルが前記所定方向に沿って配列された第２ノズル列とを備え、
前記第２ノズル列の前記所定方向の長さは、前記第１ノズル列の前記所定方向の長さよりも長い、ことを特徴とする請求項４に記載の画像処理方法。
【請求項６】
前記各領域の前記所定方向の長さは、前記第１ノズル列の前記所定方向の長さよりも短いことを特徴とする請求項５に記載の画像処理方法。
【請求項７】
複数色のインクを付与する記録ヘッドを用いて記録媒体に画像を記録するためのデータを生成する画像処理装置であって、
前記記録媒体に対して記録すべき画像データに基づいて、前記記録媒体上の領域が所定方向に複数に分割された各領域に対して、カラー画像を記録するカラー領域であるか、又は、モノクロ画像を記録するモノクロ領域であるかを判定する判定手段と、
前記判定手段により、前記カラー領域であると判定された領域と、前記モノクロ領域であると判定された領域であって前記カラー領域であると判定された領域と前記所定方向に隣接する領域と、に対して、複数色のインクのうち少なくとも１色からなる第１の組み合わせのインクを付与するためのデータを生成し、
前記判定手段により、前記モノクロ領域であると判定された領域であって且つ前記カラー領域であると判定された領域と前記所定方向に隣接しない領域のうちの少なくともいずれかの領域に対して、前記複数色のインクのうち前記第１の組み合わせとは異なり、少なくとも１色からなる第２の組み合わせのインクを付与するためのデータを生成する、生成手段と
を備えることを特徴とする画像処理装置。
【手続補正２】
【補正対象書類名】明細書
【補正対象項目名】０００８
【補正方法】変更
【補正の内容】
【０００８】
上記課題を解決するため、本発明に係る画像処理方法は、複数色のインクを付与する記録ヘッドを用いて記録媒体に画像を記録するためのデータを生成する画像処理方法であって、前記記録媒体に対して記録すべき画像データに基づいて、前記記録媒体上の領域が所定方向に複数に分割された各領域に対して、カラー画像を記録するカラー領域であるか、又は、モノクロ画像を記録するモノクロ領域であるかを判定する判定工程と、前記判定工程において、前記カラー領域であると判定された領域と、前記モノクロ領域であると判定された領域であって前記カラー領域であると判定された領域と前記所定方向に隣接する領域と、に対して、複数色のインクのうち少なくとも１色からなる第１の組み合わせのインクを付与するためのデータを生成し、前記判定工程において、前記モノクロ領域であると判定された領域であって且つ前記カラー領域であると判定された領域と前記所定方向に隣接しない領域のうちの少なくともいずれかの領域に対して、前記複数色のインクのうち前記第１の組み合わせとは異なり、少なくとも１色からなる第２の組み合わせのインクを付与するためのデータを生成する、生成工程とを有することを特徴とする。
【手続補正書】
【提出日】平成24年2月16日(2012.2.16)
【手続補正１】
【補正対象書類名】特許請求の範囲
【補正対象項目名】全文
【補正方法】変更
【補正の内容】
【特許請求の範囲】
【請求項１】
入力アナログ信号と、デジタルデータのアナログ変換結果とを比較する変換比較部と、
前記変換比較部における比較結果に応じて前記デジタルデータの値を変更する逐次比較部と
を具備し、
前記変換比較部は、通常モード時、所定のビット数のデジタルデータをアナログ変換し、テストモード時、前記通常モード時より小さいビット数のデジタルデータをアナログ変換するＤＡ部を備える
逐次比較型ＡＤ（Ａｎａｌｏｇ  Ｄｉｇｉｔａｌ）コンバータ。
【手続補正２】
【補正対象書類名】明細書
【補正対象項目名】発明の名称
【補正方法】変更
【補正の内容】
【発明の名称】逐次比較型ＡＤ（Ａｎａｌｏｇ  Ｄｉｇｉｔａｌ）コンバータ
【手続補正書】
【提出日】平成24年8月13日(2012.8.13)
【手続補正１】
【補正対象書類名】明細書
【補正対象項目名】００１１
【補正方法】変更
【補正の内容】
【００１１】
上記目的を達成するために、画像データを予め設定された記録形式で記録媒体に記録する本発明の画像処理装置は、画像データの記録形式を設定する設定手段と、着脱可能な記録媒体を装着するための装着手段と、前記装着手段に装着された記録媒体が、前記画像処理装置とは別の装置と通信する通信機能を有するかどうかを判断する判断手段と、前記記録媒体が前記通信機能を有すると判断され、かつ該通信機能により転送可能な画像データの記録形式と、前記設定手段により設定された記録形式とが一致していない場合、警告を行うように制御する制御手段とを有する。
【手続補正２】
【補正対象書類名】明細書
【補正対象項目名】００６７
【補正方法】変更
【補正の内容】
【００６７】
Ｓ３７では、自動転送を行うために記録媒体３００にＪＰＥＧ画像データファイル記録を振り分けるように、振り分け記録設定の変更を行う。即ち、画像データファイルの振り分け記録設定を記録媒体３００にＪＰＥＧ画像データファイルを記録し、記録媒体２００にＲＡＷ画像データファイルを記録する設定に自動で変更し、メモリ３０に記憶する。なお振り分け記録設定の自動変更は記録媒体３００にＪＰＥＧ画像データファイルとＲＡＷ画像データファイルの同時記録、記録媒体２００への記録は特に変更しない、というような設定でも構わない。少なくとも記録媒体３００にＪＰＥＧ画像データファイルを記録するような設定であればよい。また、そのような変更が行われたことをユーザーに知らせる表示処理（図４（ｃ））を行って、処理を終了する。
【手続補正３】
【補正対象書類名】特許請求の範囲
【補正対象項目名】全文
【補正方法】変更
【補正の内容】
【特許請求の範囲】
【請求項１】
画像データを予め設定された記録形式で記録媒体に記録する画像処理装置であって、
画像データの記録形式を設定する設定手段と、
着脱可能な記録媒体を装着するための装着手段と、
前記装着手段に装着された記録媒体が、前記画像処理装置とは別の装置と通信する通信機能を有するかどうかを判断する判断手段と、
前記記録媒体が前記通信機能を有すると判断され、かつ該通信機能により転送可能な画像データの記録形式と、前記設定手段により設定された記録形式とが一致していない場合、警告を行うように制御する制御手段と
を有することを特徴とする画像処理装置。
【請求項２】
前記装着手段は、複数の記録媒体を装着可能であって、前記制御手段は、装着された記録媒体の内、前記通信機能を有する少なくとも１つの記録媒体が転送可能な画像データの記録形式と、前記設定手段により設定された記録形式とが一致していない場合に警告を行うように制御することを特徴とする請求項１に記載の画像処理装置。
【請求項３】
前記設定手段は、前記装着された複数の記録媒体に互いに異なる記録形式を設定することを特徴とする請求項２に記載の画像処理装置。
【請求項４】
前記制御手段は、前記記録媒体が転送可能な画像データの記録形式と、前記設定手段により設定された記録形式とが一致していない場合、前記設定手段により設定された記録形式を、前記記録媒体が転送可能な画像データの記録形式に変更するように制御することを特徴とする請求項１乃至３のいずれか１項に記載の画像処理装置。
【請求項５】
前記設定手段により設定可能な記録形式は、少なくともＪＰＥＧ形式を含むことを特徴とする請求項１乃至４のいずれか１項に記載の画像処理装置。
【請求項６】
前記設定手段により設定可能な記録形式は、少なくともＲＡＷ形式を含むことを特徴とする請求項５に記載の画像処理装置。
【請求項７】
画像処理装置の装着手段に装着された着脱可能な記録媒体に、画像データを予め設定された記録形式で記録する画像処理方法であって、
設定手段が、画像データの記録形式を設定する設定工程と、
判断手段が、前記装着手段に装着された記録媒体が、前記画像処理装置とは別の装置と通信する通信機能を有するかどうかを判断する判断工程と、
警告手段が、前記記録媒体が前記通信機能を有すると判断され、かつ該通信機能により転送可能な画像データの記録形式と、前記設定工程で設定された記録形式とが一致していない場合、警告を行う警告工程と
を有することを特徴とする画像処理方法。
【請求項８】
コンピュータに、請求項１乃至６のいずれか１項に記載の画像処理装置の各手段として機能させるためのプログラム。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
画像読み取り機能を有する画像形成装置と、該画像形成装置が生成したデータを管理する文書管理装置とを備えた文書管理システムであって、
前記画像形成装置は、前記文書管理装置からの要求に応じて、前記データの差し替え用に提示される操作要素を作成する処理を行い、
前記文書管理装置は、前記画像形成装置で作成された前記操作要素の操作に従い、前記画像形成装置によって生成された差し替え用のデータを前記画像形成装置から受信して、前記データの差し替え処理を行うことを特徴とする文書管理システム。
【請求項２】
クライアント機器からアクセスされる文書データを管理する前記文書管理装置は、前記画像形成装置によって生成された文書データのページ編集及び版管理を行い、前記操作要素の操作に従い、前記画像形成装置によって生成されたページ差し替え用のデータを前記画像形成装置から受信して文書データの差し替え処理を行うことを特徴とする、請求項１に記載の文書管理システム。
【請求項３】
画像を読み取って生成したデータを文書管理装置に送信する機能を備えた情報処理装置であって、
前記文書管理装置からの要求に応じて、前記データについての差し替え用に操作要素を作成して、該操作要素を表示手段に表示させることを特徴とする情報処理装置。
【請求項４】
前記差し替え用の操作要素の作成又は削除の要求を前記文書管理装置から受信した場合、該要求に従って前記差し替え用の操作要素を作成し又は削除する手段を備えることを特徴とする、請求項３に記載の情報処理装置。
【請求項５】
前記差し替え用の操作要素の操作に従い、画像の読み取りによって生成したデータとともにデータの差し替え要求を前記文書管理装置に送信する送信手段を有することを特徴とする、請求項３又は４に記載の情報処理装置。
【請求項６】
画像形成装置によって画像を読み取って生成したデータを管理する機能を備えた情報処理装置であって、
前記画像形成装置に対して、前記データについての差し替え用に操作要素を作成する要求を送信し、前記画像形成装置で作成された前記操作要素の操作に従い、差し替え用のデータを前記画像形成装置から受信して差し替え処理を行うことを特徴とする情報処理装置。
【請求項７】
記憶手段に格納されているデータについて差し替えを予約する差し替え予約手段と、
前記操作要素を管理する管理手段と、
前記操作要素の作成又は削除の要求を前記画像形成装置に対して送信する送信手段と、
前記画像形成装置からデータの差し替え要求を受信する受信手段と、
前記データの差し替えを実行する実行手段と、を備えたことを特徴とする、請求項６に記載の情報処理装置。
【請求項８】
前記画像形成装置によって画像を読み取って生成した文書データの状態を管理する状態管理手段と、
ページ差し替え後の文書データを当該文書データの最新版として追加する追加手段を備えたことを特徴とする、請求項６又は７に記載の情報処理装置。
【請求項９】
前記送信手段は、データの差し替えについての取消し要求を受けた場合、前記画像形成装置に対して前記操作要素を削除する要求を送信することを特徴とする、請求項７に記載の情報処理装置。
【請求項１０】
画像読み取り機能を有する画像形成装置と、該画像形成装置が生成したデータを管理する文書管理装置とを備えた文書管理システムの制御方法であって、
前記文書管理装置から前記画像形成装置への要求に応じて、前記データの差し替え用に提示される操作要素を作成するステップと、
前記画像形成装置で作成された前記操作要素の操作に従い、前記文書管理装置が、前記画像形成装置によって生成された差し替え用のデータを前記画像形成装置から受信した場合、前記データの差し替え処理を行うステップを有することを特徴とする文書管理システムの制御方法。
【手続補正書】
【提出日】平成24年3月21日(2012.3.21)
【手続補正１】
【補正対象書類名】明細書
【補正対象項目名】０００９
【補正方法】変更
【補正の内容】
【０００９】
第２の発明の画像形成装置は、直流の高電圧を出力する前記第１の発明の電源装置を備え、前記直流の高電圧により駆動されて画像を形成することを特徴とする。
【手続補正２】
【補正対象書類名】明細書
【補正対象項目名】００３５
【補正方法】変更
【補正の内容】
【００３５】
ＳＣＬＫ線は、後述する転送データに同期したクロックをプリンタエンジン制御部５３から制御部７２へ出力するシリアルクロックＳＣＬＫの信号線である。ＳＤＩ線は、制御部７２にデータを入力するシリアルデータインプット信号ＳＤＩであって、シリアルクロックＳＣＬＫに同期してデータをプリンタエンジン制御部５３から制御部７２へ送信する信号線である。更に、ＳＤＯ線は、制御部７２からシリアルクロックＳＣＬＫに同期して出力されるシリアルデータアウトプット信号ＳＤＯであって、シリアルクロックＳＣＬＫに同期してデータを送信する信号線である。
【手続補正３】
【補正対象書類名】明細書
【補正対象項目名】００３８
【補正方法】変更
【補正の内容】
【００３８】
クロックＣＬＫに同期して動作する制御部７２において、駆動パルスＳ７２を出力する出力ポートＯＵＴ１１には、抵抗７２ｃを介して、圧電トランス駆動回路７４が接続され、この圧電トランス駆動回路７４にＤＣ電源７３が接続されている。ＤＣ電源７３は、例えば、図示しない低圧電源装置から商用電源であるＡＣ１００Ｖを変圧整流することにより供給されるＤＣ２４Ｖの電源である。
【手続補正４】
【補正対象書類名】明細書
【補正対象項目名】００４４
【補正方法】変更
【補正の内容】
【００４４】
オペアンプ７７ｂの出力端子から出力される電流は、抵抗７７ｄを介して、整流回路７６内のダイオード７６ａのアノードへ供給される。オペアンプ７７ｂの「＋」入力端子は接地されているので、「−」入力端子の電圧レベルが０Ｖとなり、オペアンプ７７ｂの出力信号は、整流回路７６に流れる電流に応じた電圧となる。例えば、抵抗７７ｄの抵抗値が３３ｋΩの場合に、オペアンプ７７ｂから整流回路７６へ供給される電流が１０μＡだとした場合に、オペアンプ７７ｂの出力電圧Ｓ７７は０．３３Ｖとなる。そのため、オペアンプ７７ｂは、圧電トランス７５が圧電トランス駆動回路７４によって駆動されて出力される電流に応じた電圧を出力することとなる。例えば、抵抗７７ｄが前記の３３ｋΩであった場合には、オペアンプ７７ｂは、オペアンプ７７ｂから整流回路７６へ供給される電流０〜１００μＡに対して、０〜３．３Ｖの出力電圧Ｓ７７を出力する。
【手続補正５】
【補正対象書類名】明細書
【補正対象項目名】００６５
【補正方法】変更
【補正の内容】
【００６５】
カウンタ上限値テーブル１０３は、通信データ処理部１０１からＤＡＣ７２ａへ出力される８bitのデータのうちの上位４bitが入力され、この４bit（即ち、１６種）の１９bit値のテーブルから前記４bitの値に応じた１９bit値を演算器１０５−２へ出力する。演算器１０５−２は、演算結果が
（演算結果１９bit値）＞（カウンタ上限値）
となる場合に、演算結果をカウンタ上限値テーブル値１９bitと置き換える。１９bitレジスタ１１５は、分周比の値を保持する。１９bitレジスタ１１５の上位９bitが整数値で、９bit値×２０ｎｓｅｃ（５０ＭＨｚ）の周期値となる。１９bitレジスタ１１５の下位１０bitは、小数値を意味し、１０bit値／１０２４の値を意味する。小数値の扱いについては後述する。１９bitレジスタ１１５は、上位９bitを比較器１０９−１、分周セレクタ１１８、及び１加算器１１７に入力する。又、１９bitレジスタ１１５の下位１０bitを誤差保持レジスタ１１６へ出力する。比較器１０９−１は、Ｄラッチ１０８の出力９bitと１９bitレジスタ１１５の上位８bitとを比較し、
（Ｄラッチ１０８の出力９bit値）＞（１９bitレジスタ１１５の上位８bit値）の場合に、演算器１０５−２に“Ｈ”を出力し、そうでない場合に“Ｌ”を出力する。
【手続補正６】
【補正対象書類名】特許請求の範囲
【補正対象項目名】請求項１０
【補正方法】変更
【補正の内容】
【請求項１０】
直流の高電圧を出力する電源装置を備え、前記直流の高電圧により駆動され画像を形成する画像形成装置であって、
前記電源装置は、
クロックを発生する発振器と、
制御信号に基づき、前記クロックを分周してパルスを出力するパルス出力手段と、
前記パルスにより駆動されるスイッチング素子と、
前記スイッチング素子により１次側に断続的に電圧が印加されると２次側から交流の高電圧を出力する圧電トランスと、
前記交流の高電圧を前記直流の高電圧に変換する整流手段と、
前記圧電トランスの２次側出力電流を供給する出力電流供給手段と、
前記２次側出力電流を電圧に変換して出力電圧を出力する電流電圧変換手段と、
目標電流を設定して前記目標電流に対応する目標電圧を出力する目標電流設定手段と、
前記出力電圧と前記目標電圧とを比較して比較結果を出力する電圧比較手段とを有し、
前記パルスの出力周波数を前記比較結果により変化させ、前記比較結果が前記パルスの出力周期にて矩形波となるように前記出力周波数を制御することにより、前記直流の高電圧に対して定電流制御することを特徴とする画像形成装置。
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
滅菌密封した容器の高層ＹＰＧＡ寒天培地〔ＹＰＧＡ寒天培地の組成は、１％(w/v)酵母エキス（イーストエキストラクト）、２％(w/v)ブドウ糖、１％(w/v)ペプトン、および１．５％(w/v)寒天〕中に、検体を滅菌した先鋭な形状の検体採取並びに該高層寒天培地中に穿刺および塗布可能な器具をもって採取し、更に穿刺および塗布し、３５℃から３７℃の条件下で培養を行い、該高層寒天培地中の独立なコロニーを採取することを特徴とする、真菌Cyniclomyces guttulatusの分離方法。
【請求項２】
検体から真菌Cyniclomyces guttulatusを分離する方法であって、以下の手段を含む分離方法。
１）滅菌密封したガラス容器の高層ＹＰＧＡ寒天培地〔ＹＰＧＡ寒天培地の組成は、１％(w/v)酵母エキス（イーストエキストラクト）、２％(w/v)ブドウ糖、１％(w/v)ペプトン、および１．５％(w/v)寒天〕を高圧蒸気滅菌（オートクレーブ）操作により作製する手段。
２）検体を滅菌した先鋭な形状の検体採取並びに該高層寒天培地中に穿刺および塗布可能な器具をもって採取する手段。
３）採取された該検体を滅菌した先鋭な形状の検体採取並びに該高層寒天培地中に穿刺および塗布可能な器具をもって、滅菌密封した容器の高層ＹＰＧＡ寒天培地に穿刺および塗布する手段。
４）３５℃の条件下で培養を行う手段。
５）高層ＹＰＧＡ寒天培地中の独立なコロニーを採取する手段。
６）採取した独立なコロニーが単一コロニーであることを確認する手段。
【請求項３】
イヌの糞便又はウサギの糞便から真菌Cyniclomyces
guttulatusを分離する方法であって、以下の手段を含む分離方法。
１）滅菌密封したガラス容器の高層ＹＰＧＡ寒天培地〔ＹＰＧＡ寒天培地の組成は、１％(w/v)酵母エキス（イーストエキストラクト）、２％(w/v)ブドウ糖、１％(w/v)ペプトン、および１．５％(w/v)寒天〕を高圧蒸気滅菌（オートクレーブ）操作により作製する手段。
２）検体であるイヌの糞便又はウサギの糞便を、滅菌した先鋭な形状の検体採取並びに該高層寒天培地中に穿刺および塗布可能な器具をもって採取する手段。
３）採取された該検体を滅菌した先鋭な形状の検体採取並びに該高層寒天培地中に穿刺および塗布可能な器具をもって、滅菌密封した容器の高層ＹＰＧＡ寒天培地に穿刺および塗布する手段。
４）３５℃の条件下で培養を行う手段。
５）高層ＹＰＧＡ寒天培地中の独立なコロニーを採取する手段。
６）採取した独立なコロニーが単一コロニーであることを確認する手段。
【請求項４】
真菌Cyniclomyces guttulatusの同定方法であって、イヌの糞便に該真菌が存在するか否かの決定方法であって、下記工程を含む同定方法。
１）滅菌密封した容器の高層ＹＰＧＡ寒天培地〔ＹＰＧＡ寒天培地の組成は、１％(w/v)酵母エキス（イーストエキストラクト）、２％(w/v)ブドウ糖、１％(w/v)ペプトン、および１．５％(w/v)寒天〕を高圧蒸気滅菌（オートクレーブ）により作製する工程。
２）検体であるイヌの糞便を、滅菌した先鋭な形状の検体採取並びに該高層寒天培地中に穿刺および塗布可能な器具をもって採取する工程。
３）採取された該検体を滅菌した先鋭な形状の検体採取並びに該高層寒天培地中に穿刺および塗布可能な器具をもって、滅菌密封した容器の高層ＹＰＧＡ寒天培地に穿刺および塗布する工程。
４）３５℃の条件下で培養を行う工程。
５）高層ＹＰＧＡ寒天培地中の独立なコロニーを採取する工程。
６）採取した独立なコロニーが単一コロニーであることを確認し、光学顕微鏡でそのコロニーを形成する菌形状を観察する工程。
７）観察した菌形状が真菌Cyniclomyces guttulatusか否かを判定する工程。
【請求項５】
請求項４に記載の真菌Cyniclomyces guttulatusの同定方法に用いるキット。
【請求項６】
以下の手段を具備する、検体の真菌Cyniclomyces
guttulatusの同定方法に用いるキット。
１）滅菌密封した容器の高層ＹＰＧＡ寒天培地〔ＹＰＧＡ寒天培地の組成は、１％(w/v)酵母エキス（イーストエキストラクト）、２％(w/v)ブドウ糖、１％(w/v)ペプトン、および１．５％(w/v)寒天〕
２）滅菌した先鋭な形状の検体採取並びに該高層寒天培地中に穿刺および塗布可能な器具
【請求項７】
以下の手段を具備する、検体であるイヌの糞便の真菌Cyniclomyces
guttulatusの同定方法に用いるキット。
１）滅菌密封した容器の高層ＹＰＧＡ寒天培地〔ＹＰＧＡ寒天培地の組成は、１％(w/v)酵母エキス（イーストエキストラクト）、２％(w/v)ブドウ糖、１％(w/v)ペプトン、および１．５％(w/v)寒天〕
２）滅菌した先鋭な形状の検体採取並びに該高層寒天培地中に穿刺および塗布可能な器具
【請求項８】
炭酸ガス培養装置を用いず、３５℃から３７℃の条件下で培養することを特徴とする請求項６又は７に記載の真菌Cyniclomyces guttulatusの同定方法に用いるキットの使用。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
木質バイオマスを前処理した後、前処理をしたバイオマスを酵素糖化及びエタノール発酵する第一糖化発酵工程、第一糖化発酵工程より得られた糖化発酵液を液体と残渣に分離する固液分離工程、該固液分離工程から得られた残渣をアルカリ金属またはアルカリ土類金属の水酸化物、硫化物、炭酸塩または亜硫酸塩から選択された１種以上の薬品の水溶液に浸漬させてアルカリ処理するアルカリ処理工程、該アルカリ処理した残渣を磨砕処理する機械処理工程、該機械処理で得られた残渣を第一糖化発酵工程に返送することを特徴とする木質バイオマスからのエタノール製造方法。
【手続補正２】
【補正対象書類名】明細書
【補正対象項目名】０００５
【補正方法】変更
【補正の内容】
【０００５】
本発明者らは、上記の課題を解決するために鋭意検討した結果、糖化発酵工程から得られる残渣を、機械的処理して糖化発酵することで、工程全体に投入するエネルギーを削減でき、エタノール収率も向上することを見いだし、下記発明を完成した。
即ち、上記課題を解決するため、本発明は以下の（１）の方法を採用する。
（１）木質バイオマスを前処理した後、前処理をしたバイオマスを酵素糖化及びエタノール発酵する第一糖化発酵工程、第一糖化発酵工程より得られた糖化発酵液を液体と残渣に分離する固液分離工程、該固液分離工程から得られた残渣をアルカリ金属またはアルカリ土類金属の水酸化物、硫化物、炭酸塩または亜硫酸塩から選択された１種以上の薬品の水溶液に浸漬させてアルカリ処理するアルカリ処理工程、該アルカリ処理した残渣を磨砕処理する機械処理工程、該機械処理で得られた残渣を第一糖化発酵工程に返送することを特徴とする木質バイオマスからのエタノール製造方法。
【手続補正３】
【補正対象書類名】明細書
【補正対象項目名】００１２
【補正方法】変更
【補正の内容】
【００１２】
次いで、濾過装置により固液分離を行い、液体分は、経路（ロ）を経由して減圧蒸留装置からなる蒸留分離工程に送られて生成アルコール留分と蒸留残渣留分とに分離され、生成アルコール留分は経路（ニ）を経由してアルコール貯槽に送られる。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
図柄表示を行う図柄表示装置と、単位遊技を開始させるために遊技者により操作される単位遊技開始操作装置と、前記単位遊技開始操作装置に対する操作に応じて複数種類の役から少なくとも１種類の当選役を決定する当選役決定手段と、前記単位遊技開始操作装置に対する操作に応じた前記図柄表示装置による前記図柄表示の変動を停止させるために遊技者により操作される変動停止操作装置と、前記単位遊技開始操作装置に対する操作に応じて前記図柄表示装置による前記図柄表示の変動を開始させ、前記変動停止操作装置に対する操作に応じて前記当選役決定手段で決定された当選役を参照して前記図柄表示手段による前記図柄表示の変動を停止させる図柄表示制御手段と、単位遊技の繰り返しによる遊技進行において、通常遊技状態と前記通常遊技状態より遊技者にとり遊技媒体の獲得に関して有利な利益遊技状態と前記利益遊技状態への移行を媒介する前記特定遊技状態とを含む複数種類の遊技状態に対する遊技状態間の移行を制御する遊技状態移行制御手段と、前記遊技進行に伴う情報を報知する情報報知装置と、前記情報報知装置による報知を制御する報知制御手段とを含む遊技機であって、
前記遊技状態移行制御手段が、前記特定遊技状態における前記図柄表示装置による前記複数種類の役のうちの降格役の当選に依存した所定の降格図柄列の確定表示に基づく降格条件の成立に応じて、前記特定遊技状態から前記通常遊技状態へ移行させ、前記特定遊技状態における昇格条件の成立に応じて前記特定遊技状態から前記利益遊技状態に移行させる特定遊技状態離脱制御手段を含み、
前記報知制御手段が、前記特定遊技状態における前記降格役の当選に応じて、前記図柄表示装置による前記降格図柄列の確定表示の回避に関する降格回避情報を前記報知装置により報知させる降格回避情報報知制御手段と、前記遊技進行における特典蓄積条件の成立に基づいて特典蓄積数を増加させ、前記報知装置による前記降格回避情報の報知に応じて前記特典蓄積数を減少させる特典蓄積数更新手段と、遊技者による選択的な所定の報知選択操作に基づいて、前記特典蓄積数が所定の特典発動許容閾値以上である場合に前記降格回避情報報知制御手段による前記降格回避情報の報知制御を実行させるか否かを決定する選択手段と、を含むことを特徴とする遊技機。
【請求項２】
図柄表示を行う図柄表示装置と、単位遊技を開始させるために遊技者により操作される単位遊技開始操作装置と、前記単位遊技開始操作装置に対する操作に応じて複数種類の役から少なくとも１種類の当選役を決定する当選役決定手段と、前記単位遊技開始操作装置に対する操作に応じた前記図柄表示装置による前記図柄表示の変動を停止させるために遊技者により操作される変動停止操作装置と、前記単位遊技開始操作装置に対する操作に応じて前記図柄表示装置による前記図柄表示の変動を開始させ、前記変動停止操作装置に対する操作に応じて前記当選役決定手段で決定された当選役を参照して前記図柄表示手段による前記図柄表示の変動を停止させる図柄表示制御手段と、単位遊技の繰り返しによる遊技進行において、通常遊技状態と前記通常遊技状態より遊技者にとり遊技媒体の獲得に関して有利な利益遊技状態と前記利益遊技状態への移行を媒介する前記特定遊技状態とを含む複数種類の遊技状態に対する遊技状態間の移行を制御する遊技状態移行制御手段と、前記遊技進行に伴う情報を報知する情報報知装置と、前記情報報知装置による報知を制御する報知制御手段とを含む遊技機であって、
前記遊技状態移行制御手段が、前記特定遊技状態における前記図柄表示装置による前記複数種類の役のうちの昇格役の当選に依存した所定の昇格図柄列の確定表示に基づく昇格条件の成立に応じて、前記特定遊技状態から前記利益遊技状態へ移行させ、前記特定遊技状態における降格条件の成立に応じて前記特定遊技状態から前記通常遊技状態に移行させる特定遊技状態離脱制御手段を含み、
前記報知制御手段が、前記図柄表示装置による前記昇格図柄列の確定表示の促進に関する昇格促進情報を前記報知装置により報知させる昇格促進情報報知制御手段と、前記遊技進行における特典蓄積条件の成立に基づいて特典蓄積数を増加させ、前記報知装置による前記昇格促進情報の報知に応じて前記特典蓄積数を減少させる特典蓄積数更新手段と、遊技者による選択的な所定の報知選択操作に基づいて、前記特典蓄積数が所定の特典発動許容閾値以上である場合に前記昇格促進情報報知制御手段による前記昇格促進情報の報知制御を実行させるか否かを決定する選択手段と、を含むことを特徴とする遊技機。
【請求項３】
前記報知制御手段が、前記利益遊技状態における前記降格役の当選に応じて、前記降格役の当選に関する降格役当選情報を前記報知装置により報知させる降格役当選情報報知制御手段を更に含み、
前記選択手段が、前記報知選択操作に応じて、前記降格役当選情報報知制御手段に基づく前記降格役当選情報の報知を降格回避情報報知制御手段に基づく前記降格回避情報の報知に変更させる、
請求項１に記載の遊技機。
【請求項４】
前記選択手段は、前記報知選択操作に基づいて、前記降格回避情報報知制御手段による前記降格回避情報の報知制御が前記利益遊技状態における前記降格役の当選に応じて自動的に実行される降格回避情報報知態様及び前記降格回避情報報知態様と異なる報知態様のうち一方を選択する、
請求項１に記載の遊技機。
【請求項５】
前記報知制御手段が、前記利益遊技状態における前記降格役の当選に応じて、前記降格役の当選に関する降格役当選情報を前記報知装置により報知させる降格役当選情報報知制御手段を更に含み、
前記選択手段は、前記降格回避情報報知態様及び前記利益遊技状態における前記降格役の当選に応じて前記降格役当選情報報知制御手段による前記降格役当選情報の報知制御が自動的に実行される降格当選役報知態様の何れか一方を選択する、
請求項４に記載の遊技機。
【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
配線ケーブルが接続される撮像モジュールであって、
受光面が形成された表面に外部端子が配設された撮像素子と、
前記撮像素子を実装する基板と、
前記撮像素子の裏面に配設され、前記外部端子と電気的に接続された外部接続用電極と、
前記基板の主面のうち、前記外部接続用電極と対向する位置に配設された撮像素子接続用電極と、
前記基板の主面のうち、前記外部端子の下方となる位置に配設された配線ケーブル接続用電極と、
を備え、
前記撮像素子の裏面端部が切り欠かれることによって前記外部端子の下方に空間が形成され、
前記外部接続用電極と前記撮像素子接続用電極とが接続されるとともに、
前記配線ケーブルの先端部において外部に露出される芯線は、少なくとも一部が前記空間に配置されて、前記配線ケーブル接続用電極に接続することを特徴とする撮像モジュール。
【請求項２】
前記撮像素子は、前記外部端子の下方に設けられ、該撮像素子を貫通する貫通電極を備え、
前記貫通電極を介して前記外部端子と前記外部接続用電極とが接続されたことを特徴とする請求項１に記載の撮像モジュール。
【手続補正２】
【補正対象書類名】明細書
【補正対象項目名】０００７
【補正方法】変更
【補正の内容】
【０００７】
上述した課題を解決し、目的を達成するため、本発明にかかる撮像モジュールは、配線ケーブルが接続される撮像モジュールであって、受光面が形成された表面に外部端子が配設された撮像素子と、前記撮像素子を実装する基板と、前記撮像素子の裏面に配設され、前記外部端子と電気的に接続された外部接続用電極と、前記基板の主面のうち、前記外部接続用電極と対向する位置に配設された撮像素子接続用電極と、前記基板の主面のうち、前記外部端子の下方となる位置に配設された配線ケーブル接続用電極と、を備え、前記撮像素子の裏面端部が切り欠かれることによって前記外部端子の下方に空間が形成され、前記外部接続用電極と前記撮像素子接続用電極とが接続されるとともに、前記配線ケーブルの先端部において外部に露出される芯線は、少なくとも一部が前記空間に配置されて、前記配線ケーブル接続用電極に接続することを特徴とする。
【手続補正３】
【補正対象書類名】明細書
【補正対象項目名】０００８
【補正方法】変更
【補正の内容】
【０００８】
また、本発明にかかる撮像モジュールは、上記の発明において、前記撮像素子は、前記外部端子の下方に設けられ、該撮像素子を貫通する貫通電極を備え、前記貫通電極を介して前記外部端子と前記外部接続用電極とが接続されたことを特徴とする。
【手続補正４】
【補正対象書類名】明細書
【補正対象項目名】０００９
【補正方法】削除
【補正の内容】
【手続補正書】
【提出日】平成24年8月23日(2012.8.23)
【手続補正１】
【補正対象書類名】特許請求の範囲
【補正対象項目名】全文
【補正方法】変更
【補正の内容】
【特許請求の範囲】
【請求項１】
哺乳類において複数の黒色腫腫瘍抗原に対する免疫応答を誘導するための少なくとも２つの別個の組成物を含む投与単位製剤であって、gp100M、MART-1およびMAGE-1/3ミニジーンをコードする発現ベクター、ならびにTRP-2 およびNY-ESO-1をコードする発現ベクターを含むことを特徴とする投与単位製剤。
【請求項２】
gp100M、MART-1およびMAGE-1/3ミニジーンをコードする発現ベクター、ならびにTRP-2 およびNY-ESO-1をコードする発現ベクターが、別個の医薬組成物中に含まれることを特徴とする請求項１記載の投与単位製剤。
【請求項３】
各組成物中の発現ベクターが、B7、LFA-3およびICAM-1よりなる群から選択される少なくとも１つの共刺激成分をさらにコードすることを特徴とする請求項１または２記載の投与単位製剤。
【請求項４】
前記共刺激成分がヒトB7.1を含むことを特徴とする請求項３記載の投与単位製剤。
【請求項５】
前記発現ベクターの少なくとも１つがプラスミドまたはウイルスベクターであることを特徴とする請求項１−４いずれか１項記載の投与単位製剤。
【請求項６】
前記ウイルスベクターが、ポックスウイルス、アデノウイルス、レトロウイルス、ヘルペスウイルス、およびアデノ関連ウイルスより成る群から選択されることを特徴とする請求項５記載の投与単位製剤。
【請求項７】
前記ウイルスベクターが、ワクシニア、NYVAC、アビポックス、カナリアポックス、ALVAC、ALVAC(2）、鶏痘およびTROVACよりなる群から選択されるポックスウイルスであることを特徴とする請求項６記載の投与単位製剤。
【請求項８】
前記ウイルスベクターが、NYVAC、ALVACおよびALVAC(2）よりなる群から選択されるポックスウイルスであることを特徴とする請求項７記載の投与単位製剤。
【請求項９】
前記ウイルスベクターがALVAC(2）であることを特徴とする請求項８記載の投与単位製剤。
【請求項１０】
請求項１−９いずれか１項記載の投与単位製剤の、各発現ベクターによりコードされる少なくとも１つの腫瘍抗原に対する宿主における免疫応答を誘導するための医薬の製造における使用。
【請求項１１】
請求項１記載の投与単位製剤を作成する方法であって、gp100M、MART-1およびMAGE-1/3ミニジーンをコードする発現ベクターを含む医薬組成物と、CD80、ICAM-1、LFA-3、TRP-2およびNY-ESO-1をコードする発現ベクターを含む医薬組成物とを組み合わせることを含む方法。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
ウイルスを生成する方法であって、該方法は、以下の工程：
０．０５％（ｗ／ｖ）〜１％（ｗ／ｖ）の濃度のダイズ加水分解物および０．０５％（ｗ／ｖ）〜０．３％（ｗ／ｖ）の濃度の酵母加水分解物を含む動物性タンパク質非含有培地中で細胞の培養物を増殖させる工程；
該細胞にウイルスを感染させる工程；ならびに
該感染させた細胞をインキュベートして、該ウイルスを増殖させる工程、
を包含する、方法。
【請求項２】
前記細胞は、昆虫細胞、鳥類細胞および哺乳動物細胞からなる群より選択される動物細胞である、請求項１に記載の方法。
【請求項３】
前記細胞は、ＢＳＣ−１細胞、ＬＬＣ−ＭＫ細胞、ＣＶ−１細胞、ＣＯＳ−細胞、ＶＥＲＯ細胞、ＭＤＢＫ細胞、ＭＤＣＫ細胞、ＣＲＦＫ細胞、ＲＡＦ細胞、ＲＫ−細胞、ＴＣＭＫ−１細胞、ＬＬＣ−ＰＫ細胞、ＰＫ１５細胞、ＬＬＣ−ＲＫ細胞、ＭＤＯＫ細胞、ＲＫ細胞、ＢＨＫ−２１細胞、ＷＩ−３８細胞、２９３細胞、およびＭＲＣ−５細胞からなる群より選択される、請求項２に記載の方法。
【請求項４】
前記細胞は、インフルエンザウイルス、ワクシニアウイルスおよび痘瘡、鶏痘ウイルス、牛痘ウイルス、ダニ媒介脳炎ウイルス（ＴＢＥ）、ポリオウイルス、Ａ型肝炎ウイルス、ロス川ウイルス、黄熱病ウイルスおよびそれら由来のキメラウイルス、西ナイルウイルス、日本脳炎ウイルス、風疹ウイルス、Ｃ型肝炎ウイルス（ＨＣＶ）、流行性耳下腺炎ウイルス、麻疹ウイルス、ＲＳウイルス（ＲＳＶ）、単純ヘルペスウイルス（ＨＳＶ）、サイトメガロウイルス（ＣＭＶ）、エプスタイン‐バーウイルス（ＥＢＶ）、ロタウイルス、および口蹄疫ウイルス（ＦＭＤＶ）からなる群より選択される、請求項１に記載の方法。
【請求項５】
前記細胞がＶＥＲＯ細胞であり、前記ウイルスが、インフルエンザウイルス、ＴＢＥウイルス、ワクシニアウイルス、ポリオウイルス、Ａ型肝炎ウイルス、ロス川ウイルス、黄熱病ウイルスおよびそれ由来のキメラウイルス、西ナイルウイルス、日本脳炎ウイルス、風疹ウイルス、ＨＣＶ、流行性耳下腺炎ウイルス、麻疹ウイルス、ＲＳウイルス、ＨＳＶ、ＣＭＶ、ＥＢＶ、およびロタウイルスから選択される、請求項１に記載の方法。
【請求項６】
前記ダイズ加水分解物および前記酵母加水分解物は精製されたものである、請求項１に記載の方法。
【請求項７】
前記ダイズ加水分解物および前記酵母加水分解物は限外濾過されたものである、請求項６に記載の方法。
【手続補正書】
【提出日】平成24年6月25日(2012.6.25)
【手続補正１】
【補正対象書類名】特許請求の範囲
【補正対象項目名】全文
【補正方法】変更
【補正の内容】
【特許請求の範囲】
【請求項１】
トマト黄化葉巻ウイルス（TYLCV）抵抗性およびコブセンチュウ抵抗性であるリコペルシコン・エスクレンタムを作製する方法であって、
ａ．リコペルシコン・チレンセ（L.chilense）由来のトマト黄化葉巻ウイルス（TYLCV）抵抗性対立遺伝子Ty-1を少なくとも一つゲノム中染色体上に含む第1の親リコペルシコン・エスクレンタム植物を得る工程；
ｂ．前記第1の親リコペルシコン・エスクレンタム植物を、リコペルシコン・ペルヴィアヌム（L.peruvianum）由来のMi-1ネコブセンチュウ抵抗性対立遺伝子を保持する第2の親リコペルシコン・エスクレンタムと交配する工程；および、
ｃ．前記Ty-1対立遺伝子および前記Mi-1対立遺伝子を相引相で含むリコペルシコン・エスクレンタム子孫植物を選抜する工程、
を含む、前記方法。
【請求項２】
選抜がマーカーアシスト選抜を使用する、請求項１記載の方法。
【請求項３】
子孫リコペルシコン・エスクレンタム植物が0.1未満のネコブセンチュウ抵抗性スコアを有する、請求項１記載の方法。
【請求項４】
染色体が第６番染色体である、請求項１記載の方法。
【請求項５】
Ty-1対立遺伝子がFDR16-2045由来である、請求項１記載の方法。
【請求項６】
Mi-1対立遺伝子が、商業的トマト栽培品種由来である、請求項１記載の方法。
【請求項７】
子孫リコペルシコン・エスクレンタム植物からトマト果実を得ることをさらに含む請求項１記載の方法。
【請求項８】
トマト果実から種子を得ることを更に含む、請求項７記載の方法。
【請求項９】
種子を生育させて第２のリコペルシコン・エスクレンタム植物を生じさせ、前記第２のリコペルシコン・エスクレンタム植物を更に第３のリコペルシコン・エスクレンタム植物と交配することを含む、請求項８記載の方法。
【請求項１０】
第３のリコペルシコン・エスクレンタム植物が、クラドスポリウム（Cladosporium）レース２、クラドスポリウム（Cladosporium）レース５及びオイディウム（Oidium）およびこれらの組合せから成る群より選択される病害に対する抵抗性を付与する付加的病害抵抗性対立遺伝子を含み、前記付加的病害抵抗性対立遺伝子が第１の第６染色体上の病害抵抗性クラスターに存在するか、または第２の６番染色体上の第２の病害抵抗性クラスターに存在する、請求項９記載の方法。
【請求項１１】
第３のリコペルシコン・エスクレンタム植物の付加的病害抵抗性対立遺伝子が第２の病害抵抗性クラスターにトランス相で位置する、請求項１０記載の方法。
【請求項１２】
アレナリアネコブセンチュウ（Meloidogyne arenaria）、サツマイモネコブセンチュウ（Meloidogyne incognita）、ジャワネコブセンチュウ（Meloidogyne javanica）およびこれらの組合せからなる群より選択されるネコブセンチュウ種に対して抵抗性である、請求項１記載の方法によって得られるリコペルシコン・エスクレンタム植物であって、0.1未満のネコブセンチュウ抵抗性スコアを有する、前記リコペルシコン・エスクレンタム植物。
【請求項１３】
0.05未満のネコブセンチュウ抵抗性スコアを有する、請求項１２記載の方法によって得られるリコペルシコン・エスクレンタム植物。
【請求項１４】
0.04未満のネコブセンチュウ抵抗性スコアを有する、請求項１３記載の方法によって得られるリコペルシコン・エスクレンタム植物。
【請求項１５】
0.03未満のネコブセンチュウ抵抗性スコアを有する、請求項１４記載の方法によって得られるリコペルシコン・エスクレンタム植物。
【請求項１６】
Ty-1対立遺伝子およびMi-1対立遺伝子を相引相で含む種子を提供することを含む、請求項１２〜１５のいずれか1項記載の植物を生育させる方法。
【請求項１７】
ａ．Ty-1対立遺伝子およびMi-1対立遺伝子を相引相で含む、第1のリコペルシコン・エスクレンタム植物の種子を提供すること、
ｂ．前記種子を生育させて、トマト果実を有する第２のリコペルシコン・エスクレンタム植物を生育させること、
を含む、請求項１２〜１５の何れか１項記載のリコペルシコン・エスクレンタム植物の種子を生育させる方法。
【請求項１８】
トマト果実を収穫することを更に含む、請求項１７記載の方法。
【請求項１９】
ａ．Ty-1対立遺伝子およびMi-1対立遺伝子を相引相で含む、第１のリコペルシコン・エスクレンタムの種子を提供すること、
ｂ．前記種子を生育させて、トマト果実を有する第２のリコペルシコン・エスクレンタム植物を生育させること、を含む、
リコペルシコン・エスクレンタム植物の種子を生育させる方法。
【請求項２０】
さらにトマトを収穫することを含む、請求項１９記載の方法。
【請求項２１】
マーカーアシスト選抜が配列番号８および配列番号１０の配列をリコペルシコン・エスクレンタム植物のゲノム中に同定することを含む、請求項３記載の方法。
【請求項２２】
第1の親リコペルシコン・エスクレンタム植物がさらに少なくとも一つのセンチュウ抵抗性対立遺伝子Mi-JをTYLCV対立遺伝子Ty-1と相引相で含む、請求項３記載の方法。
【請求項２３】
第１の親リコペルシコン・エスクレンタム植物がFDR16-2045系統である、請求項３記載の方法。
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
γ−グルタミルペプチドを含有し、γ−グルタミル−Ｓ−（アリル）−システイン、γ−グルタミル−Ｓ−（２−プロペニル）−システイン及びγ−グルタミル−Ｓ−（メチル）−システインの合計量中のγ−グルタミル−Ｓ−（メチル）−システイン含有量が１０〜２７質量％である液体調味料。
【請求項２】
γ−グルタミルペプチドの含有量が水相中０．６５〜１．２５ｍｇ／ｍＬである請求項１記載の液体調味料。
【請求項３】
ネギ属野菜を配合したものである請求項１又は２記載の液体調味料。
【請求項４】
γ−グルタミル−Ｓ−（アリル）−システイン、γ−グルタミル−Ｓ−（２−プロペニル）−システイン及びγ−グルタミル−Ｓ−（メチル）−システインの合計量中のγ−グルタミル−Ｓ−（メチル）−システイン含有量が１５〜２５質量％である請求項１〜３のいずれか１項に記載の液体調味料。
【請求項５】
γ−グルタミル−Ｓ−（アリル）−システイン、γ−グルタミル−Ｓ−（２−プロペニル）−システイン及びγ−グルタミル−Ｓ−（メチル）−システインの合計量中のγ−グルタミル−Ｓ−（メチル）−システイン含有量が１６〜２２質量％である請求項１〜４のいずれか１項に記載の液体調味料。
【請求項６】
γ−グルタミルペプチドの含有量が水相中０．８〜１．２ｍｇ／ｍＬである請求項１〜５のいずれか１項に記載の液体調味料。
【請求項７】
ネギ属野菜がにんにく及びたまねぎであり、にんにく／たまねぎの質量比が１／０．１５〜１／２．５である請求項３〜６のいずれか１項に記載の液体調味料。
【請求項８】
にんにくの配合量が、水相中に湿質量として５〜１１質量％である請求項７に記載の液体調味料。
【請求項９】
たまねぎの配合量が、水相中に湿質量として１０〜４５質量％である請求項７又は８に記載の液体調味料。
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
低温ガス燃料及び高温燃料燃焼器ハードウェアによる運転中の燃焼ダイナミックスを避けるために排ガス適合モードにおいて高負荷でガスタービンを運転する方法であって、
ガスタービン運転順序を実行するステップと、
ガス燃料温度を測定するステップと、
ガス燃料の温度が所定値未満の時の排ガス適合モードにおける燃焼ダイナミックスを避けるために、所定の燃料分割に従った排ガス適合モードにおいてガスタービンを運転するステップと、
前記ガス燃料温度を少なくとも前記所定値まで加熱するステップと、
を含み、
前記所定の燃料分割は４次ノズルの所定の燃料分割を含み、
前記４次ノズルの前記所定の燃料分割が、ガス燃料温度の低下に応じて減少する、
方法。
【請求項２】
運転に関する修正ウォッベ指数が排ガス適合運転の許容範囲内であるかを判定するステップを更に含む、請求項１に記載の排ガス適合モードにおいて高負荷でガスタービンを運転する方法。
【請求項３】
前記運転に関する修正ウォッベ指数が排ガス適合運転の許容範囲外である場合にオペレータに知らせる警報を出すステップを更に含む、請求項２に記載の排ガス適合モードにおいて高負荷でガスタービンを運転する方法。
【請求項４】
前記運転順序は、ガスタービン始動である、請求項１に記載の排ガス適合モードにおいて高負荷でガスタービンを運転する方法。
【請求項５】
前記運転順序は、燃料温度制御の喪失の応答である、請求項１に記載の排ガス適合モードにおいて高負荷でガスタービンを運転できるように構成された方法。
【請求項６】
その技術的効果によって、低温ガス燃料及び高温燃料燃焼器ハードウェアによる運転中の燃焼ダイナミックスを避けるために、高負荷での排ガス適合モード下でガスタービンの運転が可能になるアルゴリズムであって、
ガスタービンの制御システム内のインターロックを無効にして、低温ガス燃料によって初期始動モードからベース負荷運転時の排ガス適合モードへのモード移行を防止するステップと、
ガス燃料温度に基づいて、排ガス適合モードにおける高負荷の燃焼ダイナミックスを軽減するために４次燃料分割をスケジューリングするステップと、
ガス燃料温度の低下につれて、前記４次燃料分割を減少させるステップと、
を含むアルゴリズム。
【請求項７】
前記低温ガス燃料の修正ウォッベ指数を計算するステップと、
前記低温ガス燃料の前記修正ウォッベ指数が排ガス適合運転の許容範囲内であるかを判定するステップと、
を更に含む、請求項６に記載のアルゴリズム。
【請求項８】
前記インターロックを無効にするステップは、低温燃料に負荷をかけられるように上昇禁止信号を無視するステップ、及び低温燃料によるモード４への燃料伝達を可能にするために修正ウォッベ指数要件を無視するステップの少なくとも１つを含む、請求項６に記載のアルゴリズム。